(57)【特許請求の範囲】
【請求項１】
吸気弁より上流側に配置されて吸気通路を開閉するパルス過給弁と、排気通路に配置されて排気ガスを浄化する排気浄化触媒と、前記排気浄化触媒の上流に配置され前記排気通路内を流れる排気ガス流を調整する排気流調整弁と、前記排気浄化触媒の再生処理を開始して前記排気流調整弁を絞った後の吸気工程で、前記吸気弁の閉弁後に前記パルス過給弁を閉弁させる作動制御手段とを備えた、ことを特徴とする内燃機関。
【請求項２】
前記作動制御手段は、筒内の状態に応じて前記パルス過給弁の閉弁時を変更する、ことを特徴とする請求項１に記載の内燃機関。
【請求項３】
前記排気通路内の排気ガスの一部を前記吸気通路に還流する排気ガス再循環装置を更に備え、
前記作動制御手段は、前記パルス過給弁の閉弁時期を固定し、筒内の状態に応じて前記排気ガス再循環装置の循環流調整弁の開度を変更する、ことを特徴とする請求項１に記載の内燃機関。
【発明の詳細な説明】
【技術分野】
【０００１】
本発明は、排気浄化触媒及びパルス過給弁を備えている内燃機関に関する。より詳細には、パルス過給弁を用いて排気通路に配置した排気浄化触媒を再生処理する内燃機関に関する。
【背景技術】
【０００２】
排気ガス中に含まれる有害物質を浄化してから機外に排出するため、内燃機関の排気通路には排気浄化触媒が配備されている。このような排気浄化触媒では例えばＮＯｘ、ＰＭ（Particulate Matter  微粒子状排出物質）などが蓄積してしまうと機能が低下してしまう。そこで、触媒が活性化する温度（ライトオフ（light off）温度と称される）まで排気ガス温度を昇温させることにより、上記物質を燃焼させて無毒化する被毒解消処理（以下、再生処理）を行うことが必要である。そこで、従来から排気浄化触媒の再生処理が必要となったときに排気ガス温度を上昇させる技術について複数の提案がある。
【０００３】
アイドル運転領域などのように内燃機関の負荷が軽い運転領域では一般に排気ガス温度が低い。そのために触媒床温度の十分な上昇が期待できず円滑な再生処理が困難である場合が多い。そこで、例えば特許文献１で開示する排気浄化触装置は再生処理を行う際に触媒温度が低い場合には、添加噴射（ポスト噴射）をして燃料を増量すると共に、吸気絞り弁及び排気絞り弁を絞っている。これにより、内燃機関の負荷を増量させ、通過する排気ガス量を低減することで熱量の低下を抑制して排気ガス温度の上昇を図っている。
【０００４】
【特許文献１】特開２００３−１９３８２４号公報
【発明の開示】
【発明が解決しようとする課題】
【０００５】
しかしながら、排気ガスの流量を低減させるため排気弁を絞り背圧を高めた状態で、更に燃焼に寄与しない燃料を噴射すると筒内の残留ガスが増加してしまう。このような状態になると筒内での燃焼が不安定になってしまう。さらに、背圧の上昇によって筒内の残留ガスが増加するとオイル希釈などの問題も発生する。なお、オイル希釈はポスト噴射された燃料の一部が未燃のままシリンダ内壁に付着し、ピストンリングで掻き落とされてエンジンオイルに混入して希釈してしまう現象である。
【０００６】
したがって、本発明の目的は、排気ガス温度の上昇のため背圧を高めた場合でも、筒内の安定燃焼を図りながら触媒の再生処理を行える内燃機関を提供することである。
【課題を解決するための手段】
【０００７】
上記目的は、吸気弁より上流側に配置されて吸気通路を開閉するパルス過給弁と、排気通路に配置されて排気ガスを浄化する排気浄化触媒と、前記排気浄化触媒の上流に配置され前記排気通路内を流れる排気ガス流を調整する排気流調整弁と、前記排気浄化触媒の再生処理を開始して前記排気流調整弁を絞った後の吸気工程で、前記吸気弁の閉弁後に前記パルス過給弁を閉弁させる作動制御手段とを備えた内燃機関により達成される。
【０００８】
本発明によると、作動制御手段が排気流調整弁を絞った後の吸気工程で、吸気弁の閉弁後に前記パルス過給弁を閉弁させる。このような順序で閉弁操作をすると吸気弁とパルス過給弁との間に高圧の吸入空気を蓄えることができる。この吸入空気は吸気弁と排気弁とが同時に開弁するオーバーラップのときに筒内に供給される。よって、排気ガス温度を高めるために背圧を増加させた場合でも、筒内の残留ガスを排気通路側へ排出することができるので燃焼の安定性を確保できる。また、オイル希釈の発生も防止できる。
【０００９】
また、前記作動制御手段は、筒内の状態に応じて前記パルス過給弁の閉弁時を変更できるように構成しておくことが望ましい。このようにパルス過給弁の閉弁時を変更すると、筒内の残留ガス量に応じて吸入空気量を供給できるので燃焼の安定化をより確実に図ることができる。
【００１０】
また、前記排気通路内の排気ガスの一部を前記吸気通路に還流する排気ガス再循環装置を更に備え、前記作動制御手段は、前記パルス過給弁の閉弁時期を固定し、筒内の状態に応じて前記排気ガス再循環装置の循環流調整弁の開度を変更できるように構成してもよい。この場合には、排気ガス再循環装置の循環流調整弁の開度を変更することにより、筒内の残留ガス量に応じて還流させるガス量を調整できるので燃焼の安定化をより確実に図ることができる。
【発明の効果】
【００１１】
本発明によると、排気ガス温度の上昇のため背圧を高めた場合でも、筒内の安定燃焼を図りながら触媒の再生処理を行える内燃機関を提供できる。
【発明を実施するための最良の形態】
【００１２】
以下、図面を参照して本発明に係る実施例を説明する。
【実施例１】
【００１３】
図１は、実施例１に係る排気浄化触媒及びパルス過給弁を備えた内燃機関１Ａについて示した図である。内燃機関１Ａは、通常の内燃機関と同様にシリンダ２内にピストン３を備えている。ピストン３の上部に燃焼室４が形成されている。燃焼室４に吸入空気を供給する吸気通路５と燃焼後のガスを排気する排気通路６とが設けられている。そして、吸気通路５側には燃焼室４への吸入空気の流れを調整する吸気弁７が配置されている。同様に排気通路６側には燃焼室４からの排気ガスの流れを調整する排気弁８が配置されている。さらに、燃焼室４内に燃料を噴射するインジェクタ９が配備されている。
【００１４】
吸入空気は吸気通路５の上流側に配置したエアークリーナ１０を介して、燃焼室４に供給されている。また、排気通路６の下流側には排気浄化触媒１１が配備されている。この排気浄化触媒１１は、従来において一般的なものを採用することができる。すなわち、排気浄化触媒１１として例えば三元触媒を採用してもよいし、酸化触媒とＰＭを捕捉する触媒担持型のパーティキュレートフィルタとを組合せたものなどを採用することができる。
【００１５】
そして、吸気通路５の途中にパルス過給弁１２が配置されている。このパルス過給弁１２の構造については特に限定するものではないが、一般的なスロットルバルブ或いは電子制御スロットルバルブなどと比較して、短時間にて吸気通路５を開き、また閉じることができる開閉弁装置を採用することが好ましい。
【００１６】
また、排気通路６の排気浄化触媒１１より上流側には排気ガス流を調整する排気流調整弁として排気絞り弁１６が配備されている。この排気絞り弁１６は排気浄化触媒１１を再生処理するときに、ガス流量を絞って排気ガス温度を昇温させるために配置されている。この排気絞り弁１６の構造についても特に限定するものではないが、例えば図示のようにバタフラ型の弁体を備えた開閉弁装置を採用できる。
【００１７】
上記パルス過給弁１２はＥＣＵ（Electronic  Control  Unit：電子制御装置）２０により駆動制御されている。ＥＣＵ２０は内燃機関を制御するＥＣＵと兼用することができる。ＥＣＵ２０は、後述する各センサからの信号に基づいて内燃機関全体の制御及びパルス過給弁１２の作動制御を実行する。排気浄化触媒１１の再生処理時に、ＥＣＵ２０により実行される触媒再生処理のための制御については後述する。なお、ＥＣＵ２０は、図示しないＲＯＭ（Read  Only  Memory）及びＲＡＭ（Random  Access  Memory）等のメモリを備えている。ＲＯＭには、内燃機関の駆動制御に関するプログラムや排気浄化触媒１１の再生処理時における各弁の開閉プログラム、並びにこれらの制御で使用する一連のデータ等が格納されている。また、ＲＡＭは制御を実行する際の処理領域を提供する。
【００１８】
さらに、内燃機関１Ａが備えている他の構成について説明する。吸気通路５には、エアークリーナ１０とパルス過給弁１２との間に、上流側から吸入空気量を検出するエアフロメータ２１、吸入空気圧を検出する吸気圧センサ２２、及び吸入空気の温度を検出する吸気温センサ２３などが配備されている。これらセンサからの出力信号は上記ＥＣＵ２０に供給されている。
【００１９】
内燃機関のヘッド部にはシリンダ内の圧力を検出するための筒内圧センサ２４が配備されている。また、排気通路６には排気ガス圧を検出するための排気圧センサ２５や、排気浄化触媒１１の下流側で排気ガス中の酸素濃度と未燃ガス濃度から内燃機関の燃焼空燃比（Ａ／Ｆ）を検出するＡ／Ｆセンサ２９が配備されている。これら排気ガスの状態を検出するセンサからの出力信号もＥＣＵ２０に供給されている。
【００２０】
また、クランクシャフト１３の周辺には、循環させている冷却水の温度を検出している水温センサ２６、循環させている潤滑オイルの温度を検出している油温センサ２７、及びクランク角の回転数を検出しているクランク角センサ２８が配備されている。これらセンサからの出力信号もＥＣＵ２０に供給されている。また、アクセル１４の踏込み量を検出するアクセルセンサ１５からの出力信号についてもＥＣＵ２０へ供給されている。
【００２１】
上記のようにＥＣＵ２０は、複数箇所に配置した種々のセンサから検出信号を受けるので内燃機関の状態を正確に確認できる。ただし、図１で示した複数のセンサ及びその配置は内燃機関の駆動制御に好ましいものとして例示してある。後述する排気浄化触媒１１の再生処理のための制御では、ここで図示した全てのセンサからの信号を利用することを必須とするものではない。すなわち、後述するようにＥＣＵ２０が作動制御手段として機能し、排気浄化触媒１１の再生処理の際に筒内の残留ガス量を減少させる際には、上記複数のセンサからの信号を選択して利用する。
【００２２】
さて、本実施例は上記のようにパルス過給弁１２を備えている。このパルス過給弁１２は、吸気弁７が開弁してピストン３が下がる吸気行程のときにパルス過給弁１２を閉に維持することで、これより下流側に負圧を形成できる。この負圧形成後の所定時期にパルス過給弁１２を開くと下流側の空気を一気に燃焼室４に流れ込ませることができる。よって、内燃機関の加速時のように負荷が増加するときに空気充填量を増大させて出力を高めることができる。このようにパルス過給弁１２は、内燃機関の運転状態に応じて筒内への吸入空気量を増加させるために配備される装置であるが、本実施例ではパルス過給弁１２を触媒再生の際に利用する。以下で示すような概念に基づいてパルス過給弁１２を活用する。図２及び図３を参照してこの点について説明する。
【００２３】
図２は、シリンダ２の周辺とパルス過給弁１２とを模式的に示した図である。図２（Ａ）は吸気行程で吸気弁７及びパルス過給弁１２が開弁して筒内に吸入空気ＮＡを導入する様子を示している。なお、この動作の直前に前述したパルス過給の動作、すなわちパルス過給弁１２を一旦閉として下流側に負圧を形成してから開いて吸入空気ＮＡを勢い良く流しておくことが好ましい。
【００２４】
図２（Ｂ）は、吸気弁７を閉弁した後にパルス過給弁１２を閉弁したときの様子を示している。このような順序で閉弁操作を行うと、この図で示しているように吸気弁７とパルス過給弁１２との間に高圧の吸入空気ＣＡを溜めることができる。
【００２５】
さらに、図３（Ａ）は燃料が爆発した後の排気行程で排気弁８が開いて筒内のガスを排出する様子を示している。ここで、触媒の再生処理のため排気絞り弁１６が絞られていると、通常の場合よりも背圧増となるの多量の残留ガスＲＧが筒内に残る状態が形成されてしまう。この残留ガスＲＧが前述した問題発生の原因となる。しかし、本実施例の内燃機関はこれに対処できる。この様子を示したのが図３（Ｂ）である。図３（Ｂ）は排気行程の終期を示している。この終期では、排気弁８及び吸気弁７が同時に開弁する状態（以下、オーバーラップ状態）が短時間存在する。
【００２６】
上記オーバーラップ状態について、図４を参照して説明する。図４（Ａ）は吸気弁７の開閉期間、（Ｂ）は排気弁８の開閉期間を示している。そして、（Ｃ）は吸気弁７と排気弁８の開弁時期が重なるオーバーラップ時期ＤＰを示している。この図４で示すように、排気行程の終期ではＴＤＣ（上死点）を過ぎても排気弁８が所定時間開いており、一方、これに続く吸気行程では吸気弁７がＴＤＣよりも前の所定時間に開くようになっている。よって、一時的に吸気弁７及び排気弁８が同時に開弁しているオーバーラップ状態が形成される。
【００２７】
そして、上記オーバーラップ状態のときに、図３（Ｂ）で示すようにパルス過給弁１２の下流に閉じ込めた吸入空気ＣＡが筒内に勢い良く流れ込むことになる。これにより筒内の残留ガスＲＧを排気通路６側に追い出して減少させることができる。なお、上記吸入空気ＣＡを閉じ込めの動作を行う際の吸入空気の流速やパルス過給弁１２の閉弁時を調整することでガス圧及び容量を変更できる。これにより、残留ガスＲＧを追い出す能力を調整できる。
【００２８】
本実施例の内燃機関は上記のように触媒の再生処理時にパルス過給弁１２を制御し、筒内の残留ガスを減少させることにより燃焼の安定化を図る。図５はパルス過給弁１２の作動時期の一例を示した図である。この図５は、好ましい例として、パルス過給と同様の動作を行って吸入空気を勢い良く流してから溜めるときの動作例を示している。
【００２９】
吸気弁（ＩＴＶ）７が開きピストン３が下がる吸気行程のときにパルス過給弁１２を閉弁して維持する。これにより、パルス過給弁１２よりも下流側に大気圧より吸入空気量が少ない状態（負圧状態）を形成する。なお、このような負圧状態を長く形成する程、ポンプロスの発生を増加させて排気ガス温度の昇温を促進することもできる。
【００３０】
そして、上記負圧形成後のＴＤＣ前で吸気弁７が開状態にあるときにパルス過給弁１２を開くことで下流側の空気を一気に燃焼室４に流れ込む状態を形成する。この状態はパルス過給を行った状態と同様である。そして、吸気弁（ＩＴＶ）７が閉弁した後の所定時間ＥＸだけ開いた状態を維持して、閉弁する。この閉弁したときの状態が図２（Ｂ）に相当しており、吸気弁７とパルス過給弁１２との間に高圧の吸入空気を閉じ込める状態を形成できる。なお、パルス過給弁１２の閉弁時ＣＰは筒内の残留ガス量に応じて変更するのが好ましい。例えばパルス過給弁１２の閉弁時ＣＰを遅らせることで、吸気弁７とパルス過給弁１２間に留める吸入空気を増加できる。よって、筒内に多量の残留ガスが存在する場合には、パルス過給弁１２の閉弁時ＣＰを遅らせる補正を行って残留ガスの排出を促進する。このような補正は上記ＥＣＵ２０が実行するプログラムに設定しておけばよい。
【００３１】
図６は、内燃機関１ＡのＥＣＵ２０がアイドル運転領域で実行する触媒再生処理のルーチンを示したフローチャートである。このルーチンは、例えばイグニッションキーがオンされたときに起動される。
【００３２】
ＥＣＵ２０は、アイドル運転状態にあり排気浄化触媒１１の再生処理要求があるか否かを監視する（Ｓ１１）。ＥＣＵ２０は再生処理要求があったことを確認すると、排気絞り弁１６を閉じて排気浄化触媒１１を通過するガス量を低減させ熱容量低下を抑制して、排気ガス温度の上昇を図る（Ｓ１２）。さらに、前述したように吸気行程で吸気弁７の閉弁後にパルス過給弁１２を閉弁して、吸気弁７とパルス過給弁１２との間に高圧の吸入空気を閉じ込める。さらに予め定めた標準動作時期に基づいてパルス過給弁１２を作動させる。そして、吸気弁７と排気弁８の開弁のオーバーラップ時に吸入空気を筒内に流し込むことで、残留ガスの排出を促進する（Ｓ１３）。このような閉弁操作を行うことで、前述したように筒内の残留ガスを減少させて燃焼の安定性を高めることができる。
【００３３】
さらに、ＥＣＵ２０は筒内のＡ／Ｆ値を確認してより確実に燃焼の安定化を図る。このときに、ＥＣＵ２０は前述した複数のセンサからの出力と予めＲＯＭに準備した内燃機関の回転数−燃料噴射量マップなどを用いて第１の目標Ａ／Ｆ値を求める。この第１の目標Ａ／Ｆ値は、筒内がリッチとなり過ぎないように設定した閾値である。さらに、ＥＣＵ２０は排気浄化触媒１１の下流に配置したＡ／Ｆセンサ２９の出力値や他のセンサの出力値に基づいて筒内の実際のＡ／Ｆ値（実Ａ／Ｆ値）を算出する。そして、この第１の目標Ａ／Ｆ値と実Ａ／Ｆ値とを比較する（Ｓ１４）。こときに、実Ａ／Ｆ値が第１の目標Ａ／Ｆ値を下回っている、すなわち筒内のガス状態がリッチに過ぎると判断した場合にはパルス過給弁１２の閉弁時を遅らせる補正を実行する。これにより筒内に送り込む吸入空気量を増して残留ガス量を減少させる（Ｓ１５）。
【００３４】
さらに、ＥＣＵ２０は次のステップＳ１６で、実Ａ／Ｆ値が第２の目標Ａ／Ｆ値以下となっているか否かを確認する。第２の目標Ａ／Ｆ値は筒内がリーンとなり過ぎないように設定した閾値である。ここで実Ａ／Ｆ値が第２の目標Ａ／Ｆ値を上回っている、すなわち筒内の状態がリーンに過ぎると判断した場合にはパルス過給弁１２の閉弁時を早める補正を実行する。これにより筒内に送り込む吸入空気量を減少させて残留ガスを増加させる（Ｓ１７）。ＥＣＵ２０は、実Ａ／Ｆ値が第１の目標Ａ／Ｆ値と第２の目標Ａ／Ｆ値の間に収まるように調整して本ルーチンによる処理を終了する。
【００３５】
以上で説明したように、ＥＣＵ２０がパルス過給弁１２を制御して筒内の残留ガスをオーバーラップ時に排出されることができる。よって、この内燃機関１Ａは、アイドル運転時などの排気ガス温度が低いときに暖機促進のため排気絞り弁１６を絞って背圧が高くなっている状況でも、残留ガスの排出を促進して安定な燃焼を確保できる。これに伴ってオイル希釈の問題の発生も防止できる。さらに、ＥＣＵ２０は筒内のガス状態に応じて、パルス過給弁１２の閉弁時を変更することでより確実に内燃機関の安定燃焼を図ることができる。
【実施例２】
【００３６】
以下、更に実施例２について説明する。実施例１の内燃機関１Ａはパルス過給弁１２の閉弁時を変更することにより、筒内に送り込む吸入空気量を適切に増減して燃焼安定性を向上していた。これに対して、実施例２の内燃機関１Ｂは排気ガス再循環装置（Exhaust Gas Recirculation装置、以下、単にＥＧＲ装置と称す）のＥＧＲ弁の開度を変更することにより、筒内の燃焼安定性を向上させる。なお、ＥＧＲ装置は、排気ガスの一部を吸気側に取り入れる（再循環させる）ことで、吸入空気の酸素濃度を低下させ、不活性ガスの導入により燃焼温度や燃焼速度を低減してＮＯｘの排出量を減少させる装置である。
【００３７】
図７は、実施例２に係る排気浄化触媒及びパルス過給弁を備えた内燃機関１Ｂについて示した図である。内燃機関１Ｂは新たにＥＧＲ装置３０が付加されている。ＥＧＲ装置３０は、例えば上記パルス過給弁１２よりも上流側の吸気通路５と、排気浄化触媒１１より上流側の排気通路６とを接続するＥＧＲ通路３１を備えている。このＥＧＲ通路３１によって排気ガスの一部を吸気側に還流する。ＥＧＲ通路３１の途中には、この通路３１の開度を調整して流量を制御する循環流調整弁としてＥＧＲバルブ３２が配備されている。ＥＧＲバルブ３２の開度によってＥＧＲ率が調整される。ＥＧＲバルブ３２の開度を大きくした場合には、ＥＧＲ通路３１内を還流する排気ガス（ＥＧＲガス）量を増加させてＥＧＲ率を上げることができる。
【００３８】
図２で示す内燃機関１Ｂの他の構成は図１に示した実施例１の内燃機関１Ａと同様である。よって、同一の部位については、図１の符号を流用して同様に説明する。
【００３９】
上記実施例１は、実Ａ／Ｆ値が第１の目標Ａ／Ｆ値と第２の目標Ａ／Ｆ値の間に収まるように、ＥＣＵ２０がパルス過給弁１２の閉弁時を補正していた。これに対して、本実施例２のＥＣＵ２０はパルス過給弁１２を標準動作させオーバーラップ時に筒内の残留ガスの排出を促進する。その後は、ＥＣＵ２０がＥＧＲバルブ３２の開度を変更することにより、実Ａ／Ｆ値を第１の目標Ａ／Ｆ値と第２の目標Ａ／Ｆ値との間に収束させる。図８は本実施例２におけるパルス過給弁１２の作動時期の一例を示した図である。閉弁時ＣＰが実施例１の場合とは異なり一定に固定されている。
【００４０】
図９は、実施例２の内燃機関１ＢのＥＣＵ２０が、アイドル運転領域で実行する触媒再生処理のルーチンを示したフローチャートである。ＥＣＵ２０はアイドル領域で再生処理要求があったことを確認すると（Ｓ２１）、排気絞り弁１６を閉じて排気浄化触媒１１を通過するガス量を低減させ熱容量低下を抑制して、排気ガス温度の上昇を図る（Ｓ２２）。さらに、吸気弁７の閉弁後にパルス過給弁１２を閉弁して、吸気弁７とパルス過給弁１２の間に高圧の吸入空気を閉じ込める。更に、オーバーラップ状態のときに吸入空気を筒内に供給する。この一連の動作で吸気弁７と排気弁８との間に高圧の吸入空気を閉じ込め、オーバーラップ時に吸入空気を筒内に流し込んで残留ガスの排出を促進する（Ｓ２３）。
【００４１】
そして、実Ａ／Ｆ値が第１の目標Ａ／Ｆ値を下回っていないか、を確認する（Ｓ２４）。ここまでは、前述した実施例１における処理と同様であるが、ステップＳ２４で実Ａ／Ｆ値が第１の目標Ａ／Ｆ値を下回り、筒内がリッチに過ぎるとＥＣＵ２０が判断した場合はこの後の処理が異なる。ＥＣＵ２０は通常よりＥＧＲバルブ３２を閉じる側に変更することによりＥＧＲ率を下げて筒内の残留ガスの発生を抑制する（Ｓ２５）。
【００４２】
その後、実Ａ／Ｆ値が第２の目標Ａ／Ｆ値を上回っていないかを確認する（Ｓ２６）。このときに実Ａ／Ｆ値が第２の目標Ａ／Ｆ値を上回り、筒内がリーンに過ぎると判断した場合には、ＥＣＵ２０は通常よりＥＧＲバルブ３２を開く側に変更することによりＥＧＲ率を上げて筒内の残留ガスの発生を増加させる（Ｓ２７）。
【００４３】
以上で説明した実施例２の内燃機関１Ｂは、アイドル運転時などの排気ガス温度が低いときに暖機促進のため排気絞り弁を絞って背圧が高くなっている場合でも、残留ガスの排出を促進して安定な燃焼を確保できる。これに伴ってオイル希釈の問題の発生も防止できる。さらに、ＥＣＵ２０が筒内状態に応じて、ＥＧＲバルブ３２の開度を変更することでより確実に安定燃焼を図ることができる。
【００４４】
以上本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００４５】
【図１】実施例１に係る排気浄化触媒及びパルス過給弁を備えた内燃機関１Ａについて示した図である。
【図２】（Ａ）は吸気行程で吸気弁及びパルス過給弁が開弁して筒内に吸入空気を導入する様子を示した図、（Ｂ）は吸気弁を閉弁した直後にパルス過給弁を閉弁したときの様子を示した図である。
【図３】（Ａ）は燃料が爆発した後の排気行程で排気弁が開いて筒内のガスを排出する様子を示している図、（Ｂ）は排気行程の終期を示している図である。
【図４】（Ａ）は吸気弁の開閉期間、（Ｂ）は排気弁の開閉期間、（Ｃ）は吸気弁と排気弁との開弁期間のオーバーラップ時期について示した図である。
【図５】パルス過給弁の作動時期の一例を示した図である。
【図６】内燃機関１ＡのＥＣＵがアイドル運転領域で実行する触媒再生処理のルーチンを示したフローチャートである。
【図７】実施例２に係る排気浄化触媒及びパルス過給弁を備えた内燃機関１Ｂについて示した図である。
【図８】パルス過給弁の作動時期の一例を示した図である。
【図９】内燃機関１ＢのＥＣＵがアイドル運転領域で実行する触媒再生処理のルーチンを示したフローチャートである。
【符号の説明】
【００４６】
１（１Ａ、１Ｂ）    内燃機関
５                  吸気通路
６                  排気通路
７                  吸気弁
８                  排気弁
１１                排気浄化触媒
１２                パルス過給弁
１６                排気絞り弁（排気流調整弁）
２０                ＥＣＵ（作動制御手段）
３０                ＥＧＲ（排気ガス再循環装置）
３１                ＥＧＲ通路
３２                ＥＧＲバルブ（循環流調整弁）
【図１】
0004595849.tif 000002
【図２】
0004595849.tif 000003
【図３】
0004595849.tif 000004
【図４】
0004595849.tif 000005
【図５】
0004595849.tif 000006
【図６】
0004595849.tif 000007
【図７】
0004595849.tif 000008
【図８】
0004595849.tif 000009
【図９】
0004595849.tif 000010